(57)【要約】【課題】顕微鏡設置に要する面積を増大することなく、ユニット追加、または変更の際も簡易にコントローラを取り換え可能な顕微鏡、および顕微鏡システムを提供する。【解決手段】本発明の顕微鏡１００は、少なくとも１つの電動ユニットを備え、ステージ上の標本の像を拡大して観察する顕微鏡において、顕微鏡本体１はベース部１ａと、ベース部１ａの背面側に立設する柱部１ｂと、柱部１ｂに支持されて正面側に向かって延在するアーム部と、を有し、柱部１ｂ外表面の背面側であって、柱部１ｂの背面側の端部より正面側、かつ柱部の立設方向と直交する幅方向より狭い領域内に、着脱可能に取付けられる前記電動ユニットを制御するコントローラ１１を備えることを特徴とする。【選択図】図３
2017009739.tif 000002
【特許請求の範囲】
【請求項１】
少なくとも１つの電動ユニットを備え、ステージ上の標本の像を拡大して観察する顕微鏡において、
顕微鏡本体はベース部と、前記ベース部の背面側に立設する柱部と、前記柱部に支持されて正面側に向かって延在するアーム部と、を有し、
前記柱部外表面の背面側であって、前記柱部の背面側の端部より正面側、かつ前記柱部の立設方向と直交する幅方向より狭い領域内に、着脱可能に取付けられる前記電動ユニットを制御するコントローラを備えることを特徴とする顕微鏡。
【請求項２】
前記柱部外表面の背面側には、前記コントローラを収納する凹部が形成されることを特徴とする請求項１に記載の顕微鏡。
【請求項３】
前記コントローラの上面には、前記凹部への収納位置を案内する指標が形成されることを特徴とする請求項２に記載の顕微鏡。
【請求項４】
前記柱部は、水平方向の断面が略Ｖ字型の柱状をなし、略Ｖ字型の折り曲り部の下端部で前記ベース部と一体化され、
前記コントローラの底面と接する前記凹部の側面は、前記コントローラの底面と略同形に形成されることを特徴とする請求項２または３に記載の顕微鏡。
【請求項５】
前記コントローラは、前記凹部に形成されたソケットに嵌合接続されるプラグと、前記電動ユニットとの間で信号を送受信するケーブルを接続するコネクタと、を有し、
前記プラグは、前記コントローラの前記柱部との接続面側に形成され、
前記コネクタは、前記プラグが配置される接続面と４５°以上９０°未満の角度をなす面に形成されることを特徴とする請求項１〜４のいずれか一つに記載の顕微鏡。
【請求項６】
電動ユニットを複数備え、ステージ上の標本の像を拡大して観察する顕微鏡システムにおいて、
顕微鏡本体はベース部と、前記ベース部の背面側に立設する柱部と、前記柱部に支持されて正面側に向かって延在するアーム部と、を有し、
前記柱部外表面の背面側であって、前記柱部の背面側の端部より正面側、かつ前記柱部の立設方向と直交する幅方向より狭い領域内に、着脱可能に取付けられる前記電動ユニットを制御する複数のコントローラを備え、
前記複数の電動ユニットのうち、前記顕微鏡に搭載される電動ユニットの組み合わせに応じたコントローラが前記柱部に取付けられることを特徴とする顕微鏡システム。
【請求項７】
前記顕微鏡本体は、取り付けられた前記コントローラの仕様を表示する表示部を備えることを特徴とする請求項６に記載の顕微鏡システム。
【発明の詳細な説明】
【技術分野】
【０００１】
本発明は、電動ユニットを制御するコントローラが、顕微鏡本体背面に着脱可能に取り付けられた顕微鏡および顕微鏡システムに関するものである。
【背景技術】
【０００２】
従来、医学や生物学等の分野では、細胞等の観察に、標本を照明して観察する顕微鏡が用いられている。また、工業分野においても、金属組織等の品質管理や、新素材の研究開発、電子デバイスや磁気ヘッドの検査等、種々の用途で顕微鏡が利用されている。このような顕微鏡では、観察者のニーズに応じて、電動レボルバ、落射投光管、電動ステージ、各種光学部材がオプションとして搭載可能であり、搭載されるユニットに応じて、各ユニットを制御する制御基板やコントローラが顕微鏡内に内蔵、または外付けされている（例えば、特許文献１または２参照）。
【先行技術文献】
【特許文献】
【０００３】
【特許文献１】特開２００４−４５９３２号公報
【特許文献２】特開２００５−８４５８８号公報
【発明の概要】
【発明が解決しようとする課題】
【０００４】
一般に、顕微鏡のユニットを追加、または変更する場合、コントローラを取り換える必要があるが、コントローラが内蔵されている特許文献１では、コントローラの取り換えのために、外装パネルを外して行う必要があり、手間がかかる。また、ソフトウエアのアップデート等を行う際も同様に外装パネルを外して行う必要がある。
【０００５】
一方、コントローラを顕微鏡と別体として外付けする特許文献２では、ユニットの追加、変更に伴うコントローラの取り換えは容易に行うことができるが、コントローラが顕微鏡と別体であるため、観察に際しコントローラを載置するスペースが必要となり、顕微鏡設置に要する面積が大きくなるという問題を有している。
【０００６】
本発明は、上記に鑑みてなされたものであって、顕微鏡設置に要する面積を増大することなく、ユニット追加、または変更の際も簡易にコントローラを取り換え可能な顕微鏡、および顕微鏡システムを提供することを目的とする。
【課題を解決するための手段】
【０００７】
上述した課題を解決し、目的を達成するために、本発明の顕微鏡は、少なくとも１つの電動ユニットを備え、ステージ上の標本の像を拡大して観察する顕微鏡において、顕微鏡本体はベース部と、前記ベース部の背面側に立設する柱部と、前記柱部に支持されて正面側に向かって延在するアーム部と、を有し、前記柱部外表面の背面側であって、前記柱部の背面側の端部より正面側、かつ前記柱部の立設方向と直交する幅方向より狭い領域内に、着脱可能に取付けられる前記電動ユニットを制御するコントローラを備える。
【０００８】
また、本発明の顕微鏡は、上記発明において、前記柱部外表面の背面側には、前記コントローラを収納する凹部が形成されることを特徴とする。
【０００９】
また、本発明の顕微鏡は、上記発明において、前記コントローラの上面には、前記凹部への収納位置を案内する指標が形成されることを特徴とする。
【００１０】
また、本発明の顕微鏡は、上記発明において、前記柱部は、水平方向の断面が略Ｖ字型の柱状をなし、略Ｖ字型の折り曲り部の下端部で前記ベース部と一体化され、前記コントローラの底面と接する前記凹部の側面は、前記コントローラの底面と略同形に形成されることを特徴とする。
【００１１】
また、本発明の顕微鏡は、上記発明において、前記コントローラは、前記凹部に形成されたソケットに嵌合接続されるプラグと、前記電動ユニットとの間で信号を送受信するケーブルを接続するコネクタと、を有し、前記プラグは、前記コントローラの前記柱部との接続面側に形成され、前記コネクタは、前記プラグが配置される接続面と４５°以上９０°未満の角度をなす面に形成されることを特徴とする。
【００１２】
また、本発明の顕微鏡システムは、電動ユニットを複数備え、ステージ上の標本の像を拡大して観察する顕微鏡システムにおいて、顕微鏡本体はベース部と、前記ベース部の背面側に立設する柱部と、前記柱部に支持されて正面側に向かって延在するアーム部と、を有し、前記柱部外表面の背面側であって、前記柱部の背面側の端部より正面側、かつ前記柱部の立設方向と直交する幅方向より狭い領域内に、着脱可能に取付けられる前記電動ユニットを制御する複数のコントローラを備え、前記複数の電動ユニットのうち、前記顕微鏡に搭載される電動ユニットの組み合わせに応じたコントローラが前記柱部に取付けられることを特徴とする。
【００１３】
また、本発明の顕微鏡システムは、上記発明において、前記顕微鏡本体は、取り付けられた前記コントローラの仕様を表示する表示部を備えることを特徴とする請求項６に記載の顕微鏡システム。
【発明の効果】
【００１４】
本発明にかかる顕微鏡、および顕微鏡システムは、顕微鏡設置に要する面積を増大することなく、ユニット追加、または変更の際も簡易にコントローラを取り換えることが可能となる。
【図面の簡単な説明】
【００１５】
【図１】図１は、実施の形態１にかかる顕微鏡の概略構成を示す斜視図である。
【図２】図２は、図１の顕微鏡の別方向からの斜視図である。
【図３】図３は、図１の顕微鏡の背面方向からの斜視図である。
【図４】図４は、図３の顕微鏡でコントローラを取り外した図である。
【図５】図５は、実施の形態１で使用するコントローラの斜視図である。
【図６】図６は、図５のコントローラの接続面側の図である。
【図７】図７は、図５のコントローラの上面図である。
【図８】図８は、実施の形態１の変形例にかかるコントローラの一部の斜視図である。
【図９】図９は、実施の形態１の変形例２にかかる顕微鏡の背面方向からの斜視図である。
【図１０】図１０は、図９の顕微鏡の柱部の断面図である。
【図１１】図１１は、実施の形態２にかかる顕微鏡システムの概略構成を示す斜視図である。
【図１２】図１２は、実施の形態２にかかる顕微鏡システムで使用するコントローラの概略構成を示す斜視図である。
【図１３】図１３は、実施の形態２の顕微鏡のコントローラ表示部を示す図である。
【発明を実施するための形態】
【００１６】
以下に、本発明にかかる顕微鏡の実施の形態を図面に基づいて詳細に説明する。なお、本発明は、これらの実施の形態に限定されるものではなく、本発明の要旨を逸脱しない範囲で種々の変更が可能である。
【００１７】
（実施の形態１）
図１は、本発明の実施の形態１にかかる顕微鏡１００の概略構成を示す斜視図である。図２は、図１の顕微鏡１００の図１と異なる方向からの斜視図である。図３は、図１の顕微鏡１００の背面方向からの斜視図である。図４は、図３の顕微鏡１００でコントローラを取り外した図である。なお、図２〜４においては、本発明の理解のために、落射投光管、鏡筒、レボルバ等を取り外した状態を示している。
【００１８】
顕微鏡１００は、顕微鏡本体１と、対象標本を載置するステージ２と、複数の対物レンズ３を保持し、選択された対物レンズ３を観察光軸上に電動で挿脱するレボルバ４と、落射照明部を構成する投光管５およびハロゲンランプ６と、投光管５の上部に載置された鏡筒７とを備える。また、鏡筒７には、対象標本の標本像を目視観察するための接眼レンズ８と、対象標本の標本像を撮像するための撮像装置９と、が搭載されている。
【００１９】
顕微鏡本体１はベース部１ａと、ベース部１ａの背面側に立設する柱部１ｂと、柱部１ｂに支持されて正面側に向かって延在するアーム部１ｃとを有する。ベース部１ａは、机上等の顕微鏡１００が設置される場所に直接載置される部分である。柱部１ｂは、ベース部１ａの背面側（奥側）に立設され、ステージ保持部２ａを介してステージ２を保持する。柱部１ｂは、水平方向の断面が略Ｖ字型の柱状をなし、略Ｖ字型の折り曲り部の下端部でベース部１ａと一体化されている。アーム部１ｃは、柱部１ｂの上端から顕微鏡１００の正面側に向かって延在し、下面側にレボルバ４が取り付けられるとともに、上面側に投光管５が搭載されている。なお、本明細書において、顕微鏡１００の正面側は観察者が位置する側であり、背面側は正面側に対向する側を意味する。
【００２０】
顕微鏡１００は、上面に対象標本が載置されたステージ２を、上下方向に移動させるための焦準ハンドル１０を備えている。焦準ハンドル１０を時計回り、または、反時計回りに回転することにより、ステージ２を上下方向に移動させて、対象標本の観察を行なう。また、ステージ２は、端部にハンドル２ｂを有し、ハンドル２ｂの回転動作に応じ、対物レンズ３の光軸に直交した面内で対象標本を移動させ、対物レンズ３に対する対象標本の観察位置を変化させる。
【００２１】
レボルバ４は、アーム部１ｃに対して回転自在に保持され、対物レンズ３を対象標本の上方に配置する。対物レンズ３は、レボルバ４に対して倍率（観察倍率）の異なる他の対物レンズとともに交換自在に装着されており、レボルバ４の回転に応じて観察光の光路上に挿入されて対象標本の観察に用いる対物レンズ３が択一的に切り換えられるようになっている。
【００２２】
顕微鏡本体１は、ベース部１ａ内に対象標本を透過照明するための透過照明部を内設している。この透過照明部は、図示しない光源から射出された透過照明光を集光するコレクタレンズや、照明光の光路を対物レンズ３の光軸に沿って偏向させる折曲げミラー等の照明光学系が、透過照明光の光路に沿って適所に配置されて構成される。光源から射出された透過照明光は、照明光学系によって対象標本に照射され、対象標本を透過した光が観察光として対物レンズ３に入射する。
【００２３】
ハロゲンランプ６は、落射照明高光を照射する落射光源であり、投光管５は、ハロゲンランプ６から照射された落射照明光を集光するコレクタレンズや、落射照明光の光路を対物レンズ３の光軸に沿って偏向させる折曲げミラー等の照明光学系が、落射照明光の光路に沿って適所に配置されて構成される。光源から射出された落射照明光は、照明光学系によって対象標本に照射され、対象標本から反射した光が観察光として対物レンズ３に入射する。
【００２４】
鏡筒７は、観察光の光路を切り換えて接眼レンズ８または撮像装置９へと導くビームスプリッタを内設している。対象標本の標本像は、ビームスプリッタによって接眼レンズ８内に導入され、接眼レンズ８を介して観察者に目視観察される。あるいは撮像装置９によって撮像される。撮像装置９は、標本像を結像するＣＣＤやＣＭＯＳ等の撮像素子を備えて構成され、標本像を撮像する。
【００２５】
顕微鏡１００は、顕微鏡１００に搭載された電動ユニットの処理および動作を制御するコントローラ１１を備える。図５は、実施の形態１で使用するコントローラ１１の斜視図である。図６は、図５のコントローラ１１の接続面ｆ１側の図である。図７は、図５のコントローラ１１の上面図である。
【００２６】
コントローラ１１の接続面ｆ１には、柱部１ｂ外表面の背面側に形成された凹部１２のソケット１２ａに嵌合されるプラグ１１ａが形成される。コントローラ１１の接続面ｆ１側が凹部１２に接するように、コントローラ１１を凹部１２に挿入し、プラグ１１ａをソケット１２ａに嵌合させることにより、コントローラ１１を顕微鏡本体１に装着する。凹部１２の底面は、コントローラ１１の接続面ｆ１と略同面積となるように形成され、凹部１２の側面１２ｂ、１２ｃ、１２ｄには、コントローラ１１の着脱を容易とする突起状のガイド１２ｅが設けられる。コントローラ１１の底面と接する凹部１２の側面１２ｂは、コントローラ１１を側面１２ｂ上で摺動させて着脱できるよう、コントローラ１１の底面と略同形とすることが好ましい。また、コントローラ１１の底面と接する凹部１２の側面１２ｂをコントローラ１１の底面と略同形とすることにより、顕微鏡１００を移動等させる際、背面側のコントローラ１１の近傍を把持した場合にも、コントローラ１１ではなく側面１２ｂを把持することができるため、コントローラ１１の破損を防止することができる。凹部１２の側面１２ｂには、コントローラ１１着脱の際、コントローラ１１を上下方向で把持するための孔部１２ｆが設けられる。
【００２７】
コントローラ１１は、側面が接続面ｆ１と、他の面ｆ２、ｆ３、ｆ４、ｆ５およびｆ６からなる６角柱形状である。コントローラ１１が凹部１２に装着された際、コントローラ１１の背面側の面ｆ６が柱部１ｂ背面側の端部ｂより正面側に位置し、コントローラ１１の側面ｆ２およびｆ３が、柱部１ｂの立設方向と直交する幅方向の領域ｗ内に位置する。コントローラ１１の大きさを上記のようにすることにより、顕微鏡１００の設置面積の増大を防止できる。なお、顕微鏡１００には、落射照明用のハロゲンランプ６が接続されるため、柱部１ｂの背面側の端部がハロゲンランプ６の背面側の端部より正面側である場合がある。かかる場合は、コントローラ１１の背面側の面ｆ６がハロゲンランプ６背面側の端部より正面側に位置すれば、顕微鏡の設置面積が増大することはないが、落射照明を使用しない場合等を考慮すると、コントローラ１１の背面側の面ｆ６が柱部１ｂ背面側の端部ｂより正面側に位置することが好ましい。
【００２８】
また、コントローラ１１は、図７に示すように、接続面ｆ１と、４５°以上９０°未満の角度をなす面ｆ４とｆ５に、電動ユニットとの間で信号を送受信するケーブルを接続するコネクタ１１ｂが設けられている。また、図示しない情報処理装置や入力部とコントローラ１１とを接続するケーブルのコネクタ１１ｂも面ｆ４およびｆ５に設けられる。コネクタ１１が設けられる面ｆ４および／またはｆ５と接続面ｆ１との角度（α）を、４５°以上９０°未満とすることにより、ケーブルをコネクタから取り外す際にコントローラ１１に加えられる力により、意図しないコントローラ１１の凹部１２からの脱落等を防止することができる。面ｆ４およびｆ５と接続面ｆ１との角度（α）は、４５°以上９０°未満であればケーブル取り外しの際にコントローラ１１の脱落を防止できるが、顕微鏡１００の設置面積の増加を防止する観点からは４５°とすることが好ましい。
【００２９】
コントローラ１１の上面には、接続面ｆ１と平行な直線をなす指標１１ｃが形成されている。コントローラ１１を凹部１２に挿入する際、コントローラ１１の上面と接する凹部１２の側面の端部が指標１１ｃの位置となるまでコントローラ１１を挿入することにより、コントローラ１１が凹部１２に確実に装着される。なお、指標は、コントローラ１１が凹部１２に収納位置を案内するものであればよく、図８に示すような三角の指標１１ｃ’であってもよい。
【００３０】
コントローラ１１は、電動ユニット、例えば、透過光源、ハロゲンランプ６、投光管５（電動光束調整ユニット、電動光学素子切替ユニット）、撮像装置９等とケーブルで接続される。また、コントローラ１１は、顕微鏡本体１とケーブルにより接続されることにより、顕微鏡本体１のスイッチのオン／オフに連動するよう作動する。コントローラ１１のスイッチのオン／オフを顕微鏡本体１のスイッチに連動させることにより、コントローラ１１が顕微鏡本体１に装着された状態で、スイッチの入力が可能となる。
【００３１】
本実施の形態１の顕微鏡１００では、コントローラ１１が顕微鏡本体１の背面側に着脱可能に取り付けられるため、外装パネル等を外すことなく、コントローラ１１の取り外しができる。したがって、コントローラ１１を顕微鏡１００から取り外すことにより、ソフトウエア等のアップデートを簡単に行うことができる。また、コントローラ１１にケーブルを挿脱する際も、コントローラ１１を顕微鏡本体１から取り外した状態で行うことができるため、ケーブルの挿脱も容易に行うことができる。
【００３２】
また、コントローラ１１は、コントローラ１１の背面側の面ｆ６が柱部１ｂ背面側の端部ｂより正面側に位置し、コントローラ１１の側面ｆ２およびｆ３が柱部１ｂの幅方向の領域ｗ内に位置するように取り付けられるため、顕微鏡１００の設置に要する面積が増大することもない。
【００３３】
なお、実施の形態１では、顕微鏡本体１へのコントローラ１１の装着は、プラグ１１ａとソケット１２ａとの嵌合により行うが、マグネット吸着等によりコントローラ１１を顕微鏡本体１に固定してもよい。
【００３４】
また、実施の形態１では、断面が略Ｖ字型の柱状をなす柱部１ｂの背面側にコントローラ１１を収納する凹部１２を形成しているが、柱部の形状はこれに限定するものではなく、コントローラ１１を柱部外表面の背面側に取り付けた際、柱部の背面側の端部より正面側、かつ柱部の幅方向に領域内に着脱可能に取付けられるものであればよい。図９は、実施の形態１の変形例２にかかる顕微鏡の背面方向からの斜視図である。図１０は、図９の顕微鏡の柱部の断面図である。
【００３５】
図９および図１０に示すように、顕微鏡１００Ａにおいて、顕微鏡本体１Ａは断面が６角柱形状をなし、背面側にコントローラ１１が収容される凹部１２Ａが形成された柱部１ｂ’を備える。凹部１２Ａは、底面がコントローラ１１の接続面ｆ１と略同面積であり、開口部側の面積が底面より大きい四角錐台形状をなしている。凹部１２Ａの側面の高さｈは、コントローラ１１全体が凹部１２Ａ内に収容される高さであって、柱部１ｂ’の鉛直方向の投影面内にコントローラ１１が収容されている。
【００３６】
顕微鏡１００Ａでは、柱部１ｂ’の投影面内にコントローラ１１が収容されるため、顕微鏡１００Ａの設置面積が増大することがない。また、コントローラ１１のコネクタが形成される面ｆ４およびｆ５は、実施の形態１と同様に接続面ｆ１と４５°以上９０°未満の角度をなすとともに、凹部１２Ａは開口部側が広い四角錐台形状をなしているため、ケーブルのコネクタへの挿脱が容易となるとともに、ケーブル取り外しの際、コントローラ１１の凹部１２Ａからの脱落等を防止することができる。
【００３７】
（実施の形態２）
図１１は、実施の形態２にかかる顕微鏡システムの概略構成を示す斜視図である。図１２は、実施の形態２にかかる顕微鏡システムで使用するコントローラの概略構成を示す斜視図である。図１３は、実施の形態２の顕微鏡システムのコントローラ表示部を示す図である。
【００３８】
実施の形態２にかかる顕微鏡システム２００は、着脱可能な電動ユニットを複数備え、顕微鏡システム２００に搭載される電動ユニットの組み合わせに応じた複数のコントローラを有している。
【００３９】
例えば、顕微鏡システム２００に、着脱可能な電動ユニットとして、電動光束調整ユニット（投光管５）、ハロゲンランプ６、ＬＥＤ光源、電動レボルバ４Ａ、電動光学素子切替ユニット（投光管５）、電動ステージが搭載可能な場合、電動光束調整ユニット（投光管５）、ハロゲンランプ６、電動レボルバ４Ａ、電動光学素子切替ユニット（投光管５）、電動ステージが搭載された場合はコントローラ１１Ａ、電動光束調整ユニット（投光管５）、ＬＥＤ光源、電動レボルバ４Ａ、電動光学素子切替ユニット（投光管５）、電動ステージが搭載された場合はコントローラ１１Ｂ等と、搭載される電動ユニットの組み合わせに応じた複数のコントローラ１１Ａ、１１Ｂ、・・・を選択して顕微鏡システム２００に取り付けられる。
【００４０】
顕微鏡システム２００は、取り付けられたコントローラ１１Ａ、１１Ｂ、・・・の仕様を表示するコントローラ表示部１３を備える。コントローラ１１Ａは、接続面ｆ１側に、制御可能な電動ユニットを表示する仕様表示部１１ｄを有する。使用表示部１１ｄは、たとえば、マグネットにより形成され、マグネットの配置により制御可能な電動ユニットの組み合わせを表示する。
【００４１】
顕微鏡システム２００は、コントローラ１１Ａを装着する凹部に、仕様表示部１１ｄからコントローラ１１Ａの仕様を読み取る識別センサを備え、識別センサにより判別したコントローラ１１Ａが制御可能な電動ユニットをコントローラ表示部１３に表示する。コントローラ表示部１３は、ＬＥＤが使用され、コントローラ１１Ａが制御可能な電動ユニットのＬＥＤを点滅させることにより、観察者にコントローラ１１Ａの仕様を明示する。観察者は、コントローラ表示部１３の表示と、顕微鏡システム２００に搭載される電動ユニットとを対比することにより、装着するコントローラ１１Ａの装着ミスや、電動ユニットの誤接続を判断することができる。
【産業上の利用可能性】
【００４２】
以上のように、本発明にかかる顕微鏡は、電動レボルバ等の電動ユニットを制御可能なコントローラを備える顕微鏡に有用である。
【符号の説明】
【００４３】
１、１Ａ  顕微鏡本体
１ａ  ベース部
１ｂ、１ｂ’  柱部
１ｃ  アーム部
２  ステージ
２ａ  ステージ保持部
２ｂ  ハンドル
３  対物レンズ
４  レボルバ
４Ａ  電動レボルバ
５  投光管
６  ハロゲンランプ
７  鏡筒
８  接眼レンズ
９  撮像装置
１０  焦準ハンドル
１１、１１Ａ、１１Ｂ  コントローラ
１１ａ  プラグ
１１ｂ  コネクタ
１１ｃ、１１ｃ’  指標
１１ｄ  仕様表示部
１２、１２Ａ  凹部
１２ａ  ソケット
１２ｂ、１２ｃ、１２ｄ  側面
１２ｅ  ガイド
１２ｆ  孔部
１３  コントローラ表示部
１００、１００Ａ  顕微鏡
２００  顕微鏡システム
【図１】
2017009739.tif 000003
【図２】
2017009739.tif 000004
【図３】
2017009739.tif 000005
【図４】
2017009739.tif 000006
【図５】
2017009739.tif 000007
【図６】
2017009739.tif 000008
【図７】
2017009739.tif 000009
【図８】
2017009739.tif 000010
【図９】
2017009739.tif 000011
【図１０】
2017009739.tif 000012
【図１１】
2017009739.tif 000013
【図１２】
2017009739.tif 000014
【図１３】
2017009739.tif 000015